(57)【要約】【課題】本発明は、飲食店の客席の利用効率を向上可能な技術を提供することを課題とする。【解決手段】本願で開示する注文飲食物搬送装置は、飲食物を厨房から搬送する主コンベアと、主コンベアが形成する搬送路から分岐する分岐経路を形成する分岐レーンと、分岐経路の横で分岐レーンの搬送方向へ向かって着座可能な第１の椅子と、分岐経路の横で第１の椅子の前に天面を形成する飲食客用のテーブルと、テーブルを挟んで第１の椅子へ向かって着座可能な第２の椅子と、を有するボックス席と、を備える。【選択図】図３
2019051223.tif 000002
【特許請求の範囲】
【請求項１】
飲食物を厨房から搬送する主コンベアと、
前記主コンベアが形成する搬送路から分岐する分岐経路を形成する分岐レーンと、
前記分岐経路の横で前記分岐レーンの搬送方向へ向かって着座可能な第１の椅子と、前記分岐経路の横で前記第１の椅子の前に天面を形成する飲食客用のテーブルと、前記テーブルを挟んで前記第１の椅子へ向かって着座可能な第２の椅子と、を有するボックス席と、を備える、
注文飲食物搬送装置。
【請求項２】
前記第１の椅子は、前記分岐経路の両横に設けられ、
前記テーブルは、前記分岐経路の両横に天面を形成する、
請求項１に記載の注文飲食物搬送装置。
【請求項３】
前記分岐経路は、前記主コンベアが形成する搬送路から側方へ分岐し、
前記第１の椅子は、前記主コンベアが形成する搬送路へ背を向けて着座可能である、
請求項１または２に記載の注文飲食物搬送装置。
【発明の詳細な説明】
【技術分野】
【０００１】
本発明は、注文飲食物搬送装置に関する。
【背景技術】
【０００２】
近年、飲食店においては、搬送装置を使った飲食物の提供が行なわれている（例えば、特許文献１−２を参照）。
【先行技術文献】
【特許文献】
【０００３】
【特許文献１】特開２０１６−１５２９０４号公報
【特許文献２】特開２０１６−１４７０１９号公報
【発明の概要】
【発明が解決しようとする課題】
【０００４】
飲食店には、通常、いわゆるボックス席と呼ばれる複数名のグループ客向けの席や、カウンター席と呼ばれる１〜２名の客向けの席が用意されている。そして、飲食店では、客の要望や人数構成に応じた席へ客が案内される。
【０００５】
ところで、飲食店に来店する客の人数構成は、曜日や時間帯によって異なる場合がある。例えば、近隣に住宅街と幹線道路がある店舗では、休日には家族客が比較的多く来店し、平日には勤労中の一人客が比較的多く来店する傾向にある。また、オフィス街の店舗では、日中の時間帯には一人客が比較的多く来店し、夜間の時間帯には職場の同僚同士といったグループ客が比較的多く来店する傾向にある。よって、飲食店では、曜日や時間帯によっては、カウンター席が空いているにも関わらず家族連れ等のグループ客が順番待ちをしたり、ボックス席に一人客が着席したりすることがある。
【０００６】
そこで、本発明は、飲食店の客席の利用効率を向上可能な技術を提供することを課題とする。
【課題を解決するための手段】
【０００７】
上記課題を解決するため、本発明では、飲食物を厨房から搬送する主コンベアの搬送路から分岐する分岐経路の横に、分岐レーンの搬送方向へ向かって着座可能な第１の椅子を設けると共に、分岐経路の横で第１の椅子の前に天面を形成する飲食客用のテーブルと、テーブルを挟んで第１の椅子へ向かって着座可能な第２の椅子とを設けることにした。
【０００８】
詳細には、本発明は、注文飲食物搬送装置であって、飲食物を厨房から搬送する主コンベアと、主コンベアが形成する搬送路から分岐する分岐経路を形成する分岐レーンと、分岐経路の横で分岐レーンの搬送方向へ向かって着座可能な第１の椅子と、分岐経路の横で第１の椅子の前に天面を形成する飲食客用のテーブルと、テーブルを挟んで第１の椅子へ向かって着座可能な第２の椅子と、を有するボックス席と、を備える。
【０００９】
上記の注文飲食物搬送装置であれば、第１の椅子に座っている客は、テーブルを挟んで第１の椅子の反対側にある第２の椅子に座っている客と二人で会話しながら食事することができる。また、上記の注文飲食物搬送装置であれば、第１の椅子と第２の椅子の何れかに座っている客が一人で食事することもできる。すなわち、上記の注文飲食物搬送装置に備わるボックス席では、客が複数名で利用することもできるし１名で利用することもできる。
【００１０】
そして、第１の椅子が、分岐経路の両横に設けられ、テーブルは、分岐経路の両横に天面を形成するものであれば、テーブルを挟んで向かい合う第１の椅子の客と第２の椅子の客は、分岐経路を挟んで反対側に居る客と会話することもできる。よって、第１の椅子とテーブルがこのように構成されていれば、ボックス席を４〜５名のグループ客で利用することもできるし、１〜２名の客を分岐経路の両側に着席させて１つのボックス席を二組で利用することもできる。
【００１１】
また、分岐経路は、主コンベアが形成する搬送路から側方へ分岐し、第１の椅子は、主コンベアが形成する搬送路へ背を向けて着座可能であってもよい。分岐経路と第１の椅子がこのように構成されていれば、テーブルと客席の配置が合理的である。
【発明の効果】
【００１２】
上記注文飲食物搬送装置であれば、飲食店の客席の利用効率を向上可能である。
【図面の簡単な説明】
【００１３】
【図１】図１は、実施形態に係る注文飲食物搬送装置の全体構成図である。
【図２】図２は、注文飲食物搬送装置の制御装置で実行される制御フロー図を示している。
【図３】図３は、搬送時の飲食物や進路変更部材の動き、客の着席状態を示した図である。
【図４】図４は、注文飲食物搬送装置の第１変形例を示した図である。
【図５】図５は、注文飲食物搬送装置の第２変形例を示した図である。
【図６】図６は、進路変更機構を示した図である。
【図７】図７は、進路変更機構の動作内容を示した図である。
【発明を実施するための形態】
【００１４】
以下、本願発明の実施形態について説明する。以下に示す実施形態は、本願発明の一態様であり、本願発明の技術的範囲を限定するものではない。下記に示す各実施形態や変形例は、例えば、寿司や飲料物、そばやうどんといった丼物、から揚げや天ぷらといった各種の飲食物を提供する飲食店に好適である。
【００１５】
図１は、実施形態に係る注文飲食物搬送装置１０の全体構成図である。注文飲食物搬送装置１０は、仕切り１によって厨房２と客席エリア３とに仕切られた飲食店に設置される。注文飲食物搬送装置１０は、客の注文を受けて用意された飲食物を厨房２から客席エリア３へ搬送する装置であり、図１に示すように、客が飲食する各ボックス席Ｌ１〜３，Ｒ１〜５の脇を通る搬送路を形成する。注文飲食物搬送装置１０は、飲食店の厨房２側から客席エリア３へ至る搬送路を形成する主ベルトコンベア１２と、主ベルトコンベア１２の厨房２側に延設され、搬送路を延伸する副ベルトコンベア１１とを備えている。なお、本実施形態では、主ベルトコンベア１２が直線状に形成されているが、主ベルトコンベア１２を複数組み合わせることにより、主ベルトコンベア１２がコーナー部分を有する搬送路を形成するようにしてもよい。
【００１６】
主ベルトコンベア１２が形成する搬送路の搬送方向の右側には、搬送路から分岐して搬送路沿いに下り勾配の経路を形成する分岐レーンＢＲ１，ＢＲ２，ＢＲ３，ＢＲ４，ＢＲ５が設けられている。また、主ベルトコンベア１２が形成する搬送路の搬送方向の左側には、搬送路から側方へ分岐して下り勾配の経路を形成する分岐レーンＢＬ１１，ＢＬ１２，ＢＬ２１，ＢＬ２２，ＢＬ３１，ＢＬ３２が設けられている。分岐レーンＢＬ１１，ＢＬ１２，ＢＬ２１，ＢＬ２２，ＢＬ３１，ＢＬ３２，ＢＲ１，ＢＲ２，ＢＲ３，ＢＲ４，ＢＲ５は、何れも主ベルトコンベア１２の搬送路から飲食物が乗り移る分岐レーンである
。
【００１７】
分岐レーンＢＲ１，ＢＲ２，ＢＲ３，ＢＲ４，ＢＲ５は、各ボックス席Ｒ１，Ｒ２，Ｒ３，Ｒ４，Ｒ５に設置されている。すなわち、分岐レーンＢＲ１は、ボックス席Ｒ１にあるテーブルＲ１Ｔの横に配置されている。また、分岐レーンＢＲ２は、ボックス席Ｒ２にあるテーブルＲ２Ｔの横に配置されている。分岐レーンＢＲ３〜５も分岐レーンＢＲ１や分岐レーンＢＲ２と同様である。
【００１８】
一方、分岐レーンＢＬ１１，ＢＬ１２，ＢＬ２１，ＢＬ２２，ＢＬ３１，ＢＬ３２は、２台一組でボックス席Ｌ１，Ｌ２，Ｌ３に設置されている。すなわち、分岐レーンＢＬ１１と分岐レーンＢＬ１２は互いに平行な状態で隣接しており、ボックス席Ｌ１にあるテーブルＬ１Ｔの中央部に配置されている。また、分岐レーンＢＬ２１と分岐レーンＢＬ２２は互いに平行な状態で隣接しており、ボックス席Ｌ２にあるテーブルＬ２Ｔの中央部に配置されている。また、分岐レーンＢＬ３１と分岐レーンＢＬ３２は互いに平行な状態で隣接しており、ボックス席Ｌ３にあるテーブルＬ３Ｔの中央部に配置されている。
【００１９】
分岐レーンＢＬ１１，ＢＬ１２，ＢＬ２１，ＢＬ２２，ＢＬ３１，ＢＬ３２，ＢＲ１，ＢＲ２，ＢＲ３，ＢＲ４，ＢＲ５の各入口付近には、棒状の進路変更部材が設けられている。進路変更部材は、注文飲食物搬送装置１０の制御装置から送られる制御信号に基づいて回動し、主ベルトコンベア１２が形成する搬送路上に出たり退避したりする。主ベルトコンベア１２が形成する搬送路上に進路変更部材が出ると、主ベルトコンベア１２に搬送されている飲食物の進路が変更され、分岐レーンに進入する。分岐レーンＢＬ１１，ＢＬ１２，ＢＬ２１，ＢＬ２２，ＢＬ３１，ＢＬ３２，ＢＲ１，ＢＲ２，ＢＲ３，ＢＲ４，ＢＲ５，ＢＬ１，ＢＬ２，ＢＬ３，ＢＬ４は、何れも回動自在なローラ群で下り勾配の分岐経路を形成しているため、分岐レーンに進入した飲食物が載るとローラが回転し、飲食物の自重で分岐レーンの終端側へ移動する。
【００２０】
各ボックス席Ｒ１，Ｒ２，Ｒ３，Ｒ４，Ｒ５には、テーブルＲ１Ｔ，Ｒ２Ｔ，Ｒ３Ｔ，Ｒ４Ｔ，Ｒ５Ｔを挟んで一対の長椅子が設けられている。すなわち、ボックス席Ｒ１には、テーブルＲ１Ｔを挟んで一対の客席Ｒ１Ｓ１，Ｒ１Ｓ２が設けられている。また、ボックス席Ｒ２には、テーブルＲ２Ｔを挟んで一対の客席Ｒ２Ｓ１，Ｒ２Ｓ２が設けられている。ボックス席Ｒ３〜５もボックス席Ｒ１やボックス席Ｒ２と同様である。
【００２１】
また、各ボックス席Ｌ１，Ｌ２，Ｌ３にも椅子が設けられているが、その形態がボックス席Ｒ１，Ｒ２，Ｒ３，Ｒ４，Ｒ５とは異なっている。ボックス席Ｒ１，Ｒ２，Ｒ３，Ｒ４，Ｒ５では、テーブルＬ１Ｔ，Ｌ２Ｔ，Ｌ３Ｔの片側に設置されている客席Ｌ１Ｓ２，Ｌ１Ｓ３，Ｌ２Ｓ２，Ｌ２Ｓ３，Ｌ３Ｓ２，Ｌ３Ｓ３が主ベルトコンベア１２に背中を向けた状態で着座するように設置されている。そして、例えば、ボックス席Ｌ１においては、分岐レーンＢＬ１１，ＢＬ１２を両側から挟むように客席Ｌ１Ｓ２，Ｌ１Ｓ３が設置されている。よって、ボックス席Ｌ１においては、分岐レーンＢＬ１１の横で分岐レーンの搬送方向へ向かって着座可能なように客席Ｌ１Ｓ２が設けられており、分岐レーンＢＬ１２の横で分岐レーンの搬送方向へ向かって着座可能なように客席Ｌ１Ｓ３が設けられている。そして、ボックス席Ｌ１においては、テーブルＬ１Ｔを挟んで客席Ｌ１Ｓ２，Ｌ１Ｓ３へ向かって着座可能な長椅子である客席Ｌ１Ｓ１が設けられている。ボックス席Ｌ２，Ｌ３においてもボックス席Ｌ１と同様である。
【００２２】
なお、主ベルトコンベア１２および副ベルトコンベア１１を駆動する駆動モータや、進路変更部材のロータリーソレノイドは、図示しない制御装置によって制御され、操作パネルに入力された操作内容や各センサからの信号に基づいて制御される。以下、制御装置によって実現される注文飲食物搬送装置１０の動作を説明する。
【００２３】
注文飲食物搬送装置１０の制御装置は、操作パネルにおいて搬送開始操作が行われると、副ベルトコンベア１１と主ベルトコンベア１２を作動させ、副ベルトコンベア１１に乗った飲食物を厨房２から客席エリア３へ搬送する。図２は、注文飲食物搬送装置１０の制御装置で実行される制御フロー図を示している。注文飲食物搬送装置１０の制御装置は、操作パネルにおいてテーブルの選択操作が行われたか否かを判定する（Ｓ１０１）。そして、制御装置は、ステップＳ１０１の処理においてテーブルの選択操作が行われたことを検知すると、次に搬送開始の操作が行われたか否かを判定する（Ｓ１０２）。そして、制御装置は、ステップＳ１０２の処理において搬送開始の操作が行われたことを検知すると、選択されたテーブルに設置された分岐レーンへの分岐点に設けられている進路変更部材を作動させ、進路変更部材を主ベルトコンベア１２上に出す（Ｓ１０３）。そして、制御装置は、副ベルトコンベア１１と主ベルトコンベア１２を作動させる（Ｓ１０４）。なお、制御装置は、主ベルトコンベア１２を副ベルトコンベア１１よりも速い搬送速度で作動させる。
【００２４】
制御装置は、ステップＳ１０４の処理を実行した後、副ベルトコンベア１１に乗っていた全ての飲食物が主ベルトコンベア１２に乗り移ったか否かを判定する（Ｓ１０５）。制御装置は、副ベルトコンベア１１に乗っていた全ての飲食物が主ベルトコンベア１２に乗ったか否かの判定を、例えば、副ベルトコンベア１１と主ベルトコンベア１２との境界付近に設置したセンサの検知結果に基づいて判定してもよいし、副ベルトコンベア１１を起動してからの経過時間に基づいて判定してもよい。制御装置は、ステップＳ１０５の処理において肯定判定を下した場合、副ベルトコンベア１１を停止する（Ｓ１０６）。
【００２５】
制御装置は、ステップＳ１０６の処理を実行した後、選択されたテーブルにある分岐レーンへの分岐点に飲食物が接近しているか否かを判定する（Ｓ１０７）。制御装置は、分岐点に飲食物が接近しているか否かの判定を、例えば、分岐点の付近に設置したセンサの検知結果に基づいて判定してもよいし、分岐点の位置毎に予め設定された搬送開始からの経過時間に基づいて判定してもよい。制御装置は、ステップＳ１０７の処理において肯定判定を下した場合、主ベルトコンベア１２を減速させる（Ｓ１０８）。
【００２６】
制御装置は、ステップＳ１０８の処理を実行した後、主ベルトコンベア１２に乗っている全ての飲食物が分岐レーンに移ったか否かを判定する（Ｓ１０９）。制御装置は、主ベルトコンベア１２に乗っている全ての飲食物が分岐レーンに移動したか否かの判定を、例えば、分岐点の付近に設置したセンサの検知結果に基づいて判定してもよいし、分岐点の位置毎に予め設定された搬送開始からの経過時間に基づいて判定してもよい。制御装置は、ステップＳ１０９の処理において肯定判定を下した場合、主ベルトコンベア２０を停止し、進路変更部材を主ベルトコンベア１２の上から退避させる（Ｓ１１０）。
【００２７】
なお、制御装置は、ステップＳ１０１とステップＳ１０２の何れかにおいて否定判定を行った場合、ステップＳ１０３以降の処理を省略し、ステップＳ１０１以降の処理を再び実行する。
【００２８】
図３は、搬送時の飲食物Ｄや進路変更部材の動き、客の着席状態を示した図である。搬送開始要求がなされると、図３に示されるように、選択されたテーブル付近の進路変更部材が主ベルトコンベア１２上にせり出し、副ベルトコンベア１１と主ベルトコンベア１２が作動する。すると、図３に示されるように、副ベルトコンベア１１に乗っていた飲食物Ｄが順次主ベルトコンベア１２上へ送り出される。副ベルトコンベア１１に乗っていた全ての飲食物Ｄが主ベルトコンベア１２に乗れば、副ベルトコンベア１１は停止状態になる。主ベルトコンベア１２へ送り出された飲食物Ｄは、図３に示されるように、やがて進路変更部材に接触して分岐レーンＢＬ２２側へ案内される。分岐レーンＢＬ２２に進入した
飲食物Ｄは、傾斜している分岐レーンＢＬ２２上を自重で進み、分岐レーンＢＬ２２の終端に順次到着する。他の分岐レーンにおいても同様である。
【００２９】
注文飲食物搬送装置１０が上記のように構成されているため、例えば、客席Ｌ３Ｓ２に座っている客は、テーブルＬ３Ｔを挟んで客席Ｌ３Ｓ２の反対側に座っている客と二人で会話しながら食事することができる。また、テーブルＬ３Ｔを挟んで客席Ｌ３Ｓ３の反対側に座っている客は、テーブルＬ３Ｔを挟んで客席Ｌ３Ｓ２の反対側に座っている客から離れた位置で一人で食事することができる。また、例えば、客席Ｌ２Ｓ２に座っている客は、テーブルＬ２Ｔを挟んで客席Ｌ２Ｓ３の反対側に座っている客から離れた位置で一人で食事することができる。また、例えば、客席Ｌ１Ｓ２に座っている客は、客席Ｌ１Ｓ１に座っている客や客席Ｌ１Ｓ３に座っている客と５人で会話しながら食事することもできる。
【００３０】
また、ボックス席Ｒ１においては、客席Ｒ１Ｓ１に座っている客が、客席Ｒ１Ｓ２に座っている客と４人で会話しながら食事することもできる。ボックス席Ｒ２〜５もボックス席Ｒ１と同様である。
【００３１】
よって、注文飲食物搬送装置１０が設置されている店舗では、来店客を以下のように案内することができる。例えば、３〜６名で来店したグループの客に対しては、ボックス席Ｒ１〜５のうち何れかの空席に案内することもできるし、或いは、ボックス席Ｌ１〜３のうち何れかの空席に案内することもできる（図３に示す例であればボックス席Ｌ１，Ｌ３，Ｒ１〜５）。また、例えば、２名で来店したペアの客に対しては、ボックス席Ｒ１〜５のうち何れかの空席に案内することもできるが、ボックス席Ｌ１〜３のうち何れかの空席に案内することもできる（図３に示す例であればボックス席Ｌ２，Ｌ３）。
【００３２】
注文飲食物搬送装置１０が設置されている飲食店では、上記のように、３〜６名程度のグループ客と１〜２名の客の何れであっても、ボックス席Ｌ１〜３，Ｒ１〜５の全ての席へ案内することができる。よって、例えば、家族客が比較的多く来店する場合と、一人客が比較的多く来店する場合の何れであっても、ボックス席Ｌ１〜３，Ｒ１〜５の全ての席へ客を案内することが可能であり、従来のようなボックス席とカウンター席とが混在する飲食店のように、カウンター席が空いているにも関わらずグループ客が順番待ちをしたり、ボックス席に一人客が着席したりすることを抑制することが可能であり、飲食店の客席の利用効率の向上を図ることができる。
【００３３】
図４は、注文飲食物搬送装置１０の第１変形例を示した図である。上記実施形態では、ボックス席Ｌ１〜４に分岐レーンが２本ずつ備わっていたが、注文飲食物搬送装置１０は、例えば、図４に示されるように、ボックス席Ｌ１〜４に分岐レーンを１本ずつ備えたものであってもよい。
【００３４】
図５は、注文飲食物搬送装置１０の第２変形例を示した図である。上記実施形態では、副ベルトコンベア１１と主ベルトコンベア１２を１つずつ備えて１本の搬送路を形成する注文飲食物搬送装置１０が図示されていたが、注文飲食物搬送装置１０は、例えば、図５に示されるように、副ベルトコンベア１１と主ベルトコンベア１２を２つずつ備えて平行な２本の搬送路を形成するものであってもよい。
【００３５】
また、上記実施形態では、分岐レーンが回動自在なローラで形成されていたが、例えば、分岐レーンＢＬ１１，ＢＬ１２，ＢＬ２１，ＢＬ２２，ＢＬ３１，ＢＬ３２，ＢＬ１，ＢＬ２，ＢＬ３，ＢＬ４は、コーナー部分のみがローラで、直線部分がモータ駆動のベルトコンベアで形成されていてもよい。
【００３６】
また、分岐レーンＢＬ１１と分岐レーンＢＬ１２の各入口付近に設けられている棒状の進路変更部材は、主ベルトコンベア１２の搬送路に沿ってスライド可能にし、１本の進路変更部材で飲食物Ｄを分岐レーンＢＬ１１と分岐レーンＢＬ１２の何れにも案内可能なようにしてもよい。分岐レーンＢＬ２１と分岐レーンＢＬ２２、或いは分岐レーンＢＬ３１と分岐レーンＢＬ３２も分岐レーンＢＬ１１と分岐レーンＢＬ１２と同様である。
【００３７】
ところで、分岐レーンＢＬ１１，ＢＬ１２，ＢＬ２１，ＢＬ２２，ＢＬ３１，ＢＬ３２の各入口付近に設けられる進路変更部材は、例えば、以下のような機構に設けられていてもよい。
【００３８】
図６は、進路変更機構２０を示した図である。進路変更機構２０は、２つの分岐レーン（例えば、分岐レーンＢＬ１１，ＢＬ１２）に対して一基設置される機構であり、主ベルトコンベア１２上に出し入れされる進路変更部材２１、進路変更部材２１を動かすソレノイド２２、ソレノイド２２を支持する支持部材２３、主ベルトコンベア１２の搬送路沿いに長手方向が延在するボールねじ２４、ボールねじ２４を回転させるモータ２５を備える。ソレノイド２２とモータ２５は、注文飲食物搬送装置１０の制御装置によって制御される。ソレノイド２２が作動すると、進路変更部材２１が主ベルトコンベア１２上に出し入れされる。また、モータ２５が作動するとボールねじ２４が回転し、支持部材２３が主ベルトコンベア１２の搬送路沿いにスライドする。
【００３９】
図７は、進路変更機構２０の動作内容を示した図である。例えば、分岐レーンＢＬ１２（ＢＬ２２，ＢＬ３２）へ飲食物Ｄが搬送される場合、進路変更部材２１が分岐レーンＢＬ１２（ＢＬ２２，ＢＬ３２）の入口に配置されるようにモータ２５で位置調整が行われる（図７（Ａ１）を参照）。そして、進路変更部材２１が主ベルトコンベア１２上に出るようにソレノイド２２が作動する（図７（Ａ２）を参照）。すると、主ベルトコンベア１２に搬送されている飲食物Ｄが進路変更部材２１に接触し、分岐レーンＢＬ１２（ＢＬ２２，ＢＬ３２）に進入する。飲食物Ｄが分岐レーンＢＬ１２（ＢＬ２２，ＢＬ３２）に進入した後は、進路変更部材２１が主ベルトコンベア１２上から退避するようにソレノイド２２が作動する（図７（Ａ３）を参照）。
【００４０】
また、例えば、分岐レーンＢＬ１１（ＢＬ２１，ＢＬ３１）へ飲食物Ｄが搬送される場合、進路変更部材２１が分岐レーンＢＬ１１（ＢＬ２１，ＢＬ３１）の入口に配置されるようにモータ２５で位置調整が行われる（図７（Ｂ１）を参照）。そして、進路変更部材２１が主ベルトコンベア１２上に出るようにソレノイド２２が作動する（図７（Ｂ２）を参照）。すると、主ベルトコンベア１２に搬送されている飲食物Ｄが進路変更部材２１に接触し、分岐レーンＢＬ１１（ＢＬ２１，ＢＬ３１）に進入する。飲食物Ｄが分岐レーンＢＬ１１（ＢＬ２１，ＢＬ３１）に進入した後は、進路変更部材２１が主ベルトコンベア１２上から退避するようにソレノイド２２が作動する（図７（Ｂ３）を参照）。
【００４１】
上記のような進路変更機構２０を備える注文飲食物搬送装置１０であれば、並列する分岐レーンＢＬ１１，ＢＬ１２（ＢＬ２１，ＢＬ２２またはＢＬ３１，ＢＬ３２）が互いに近接していても進路変更部材２１を支障なく主ベルトコンベア１２上に出し入れすることができる。
【００４２】
なお、上記の進路変更機構２０では、進路変更部材２１がソレノイド２２で動かされていたが、進路変更部材２１は、ソレノイド２２に代えて、例えば、モータその他の各種駆動源で動かされるものであってもよい。また、上記の進路変更機構２０では、支持部材２３がボールねじ２４でスライドするように構成されていたが、支持部材２３は、ボールねじ２４に代えて、例えば、ラック＆ピニオン、エアシリンダ、油圧シリンダ、ソレノイドその他の各種駆動機構で動かされるものであってもよい。
【符号の説明】
【００４３】
Ｄ・・飲食物
１・・仕切り
２・・厨房
３・・客席エリア
１０・・注文飲食物搬送装置
１１・・副ベルトコンベア
１２・・主ベルトコンベア
ＢＬ１１，ＢＬ１２，ＢＬ２１，ＢＬ２２，ＢＬ３１，ＢＬ３２，ＢＲ１，ＢＲ２，ＢＲ３，ＢＲ４，ＢＲ５，ＢＬ１，ＢＬ２，ＢＬ３，ＢＬ４・・分岐レーン
Ｌ１，Ｌ２，Ｌ３，Ｒ１，Ｒ２，Ｒ３，Ｒ４，Ｒ５・・ボックス席
Ｌ１Ｔ，Ｌ２Ｔ，Ｌ３Ｔ，Ｒ１Ｔ，Ｒ２Ｔ，Ｒ３Ｔ，Ｒ４Ｔ，Ｒ５Ｔ・・テーブル
Ｌ１Ｓ１、Ｌ１Ｓ２，Ｌ１Ｓ３，Ｌ２Ｓ１、Ｌ２Ｓ２，Ｌ２Ｓ３，Ｌ３Ｓ１、Ｌ３Ｓ２，Ｌ３Ｓ３，Ｒ１Ｓ１，Ｒ１Ｓ２，Ｒ２Ｓ１，Ｒ２Ｓ２，Ｒ３Ｓ１，Ｒ３Ｓ２，Ｒ４Ｓ１，Ｒ４Ｓ２，Ｒ５Ｓ１，Ｒ５Ｓ２・・客席
２０・・進路変更機構
２１・・進路変更部材
２２・・ソレノイド
２３・・支持部材
２４・・ボールねじ
２５・・モータ
【図１】
2019051223.tif 000003
【図２】
2019051223.tif 000004
【図３】
2019051223.tif 000005
【図４】
2019051223.tif 000006
【図５】
2019051223.tif 000007
【図６】
2019051223.tif 000008
【図７】
2019051223.tif 000009